(57)【要約】【課題】簡単な構造で安価に製作でき、施工性に優れた鉄筋配置用部材を提供する。【解決手段】二枚合わせ部２ａを有する複数のウエブ２を間隔をあけて備えたデッキプレート４を用いて鉄筋コンクリート床を施工する際に鉄筋１０を配置するための鉄筋配置用部材２０である。デッキプレートの隣り合うウエブ間の距離と略同じ長さを有する鉄筋配置用の本体部２１と、本体部２１の両端に設けた、前記ウエブ２に設けられたカシメ部５の切れ込みに刺し入れられる刺入部２２ａ、２２ｂとを有する。鉄筋配置用部材を、その両端の刺入部を左右のウエブのカシメ部の切れ込みにそれぞれ差し入れて、ウエブ間に架け渡す。その上に鉄筋を配置する。両端の刺入部をウエブのカシメ部に差し込むという簡単な作業で、デッキプレートに取り付けることができるので、施工能率が良好であり、施工コストが安く済む。【選択図】図１
2016173004.tif 000002
【特許請求の範囲】
【請求項１】
下フランジと、この下フランジから上方に延びてカシメ部によりカシメられた二枚合わせ部を有しデッキプレート幅方向に間隔をあけて設けられた複数のウエブとを、鋼板を折り曲げして形成するデッキプレートを用いて、鉄筋コンクリート床を施工する際に鉄筋を配置するための鉄筋配置用部材であって、
前記鉄筋配置用部材は、デッキプレートの隣り合う前記ウエブ間の距離と平面視で略同じ長さを有する鉄筋配置用の本体部と、前記本体部の両端に設けた、前記カシメ部の切れ込みに刺し入れられる刺入部とを備えたことを特徴とする鉄筋配置用部材。
【請求項２】
前記本体部の一方端の刺入部と他方端の刺入部の高さ位置が異なることを特徴とする請求項１記載の鉄筋配置用部材。
【請求項３】
前記本体部の刺入部は、本体部から下方に延びていることを特徴とする請求項１又は２記載の鉄筋配置用部材。
【請求項４】
下フランジと、この下フランジから上方に延びてカシメ部によりカシメられた二枚合わせ部を有しデッキプレート幅方向に間隔をあけて設けられた複数のウエブとを、鋼板を折り曲げして形成するデッキプレートを用いて、鉄筋コンクリート床を施工する際に構成される鉄筋配置構造であって、
前記鉄筋配置構造は、前記デッキプレートと、このデッキフレートの上側に配置される鉄筋配置用部材と、この鉄筋配置用部材上に置かれる鉄筋とを備え、
前記ウエブは、その二枚合わせ部に設けた２か所の切れ込み間の部分が共にデッキプレート幅方向に突出することで二枚合わせ部との間に形成された隙間を持つカシメ部を備え、
隣り合う２つのウエブの一方のウエブのカシメ部の切れ込みに前記鉄筋配置用部材の一方端が刺し入れられ、他方のウエブのカシメ部の切れ込みに前記鉄筋配置用部材の他方端が刺し入れられていることを特徴とする鉄筋配置構造。
【請求項５】
前記デッキプレートのウエブの前記カシメ部の２か所の切れ込みは、第一の切れ込みと、この第一の切れ込みより下方位置に設けた第二の切れ込みであることを特徴とする請求項４記載の鉄筋配置構造。
【請求項６】
対象とする前記鉄筋が、デッキプレート長手方向から見て二等辺三角形配置をなす上側の１本の上弦材及び下側の２本の下弦材と、前記上側の上弦材と下側の２本の各下弦材とをそれぞれ連結するように溶接接合されたデッキプレート幅方向から見てジグザグ状をなす左右のラチス材とからなるトラス筋であることを特徴とする請求項４又は５に記載の鉄筋配置構造。
【発明の詳細な説明】
【技術分野】
【０００１】
この発明は、二枚合わせ部を有する複数のウエブを備えたデッキプレートを用いて鉄筋コンクリート床を施工する際に用いる鉄筋配置用部材、及び、鉄筋コンクリート床施工の際に構成される鉄筋配置構造に関する。
【背景技術】
【０００２】
デッキプレートを用いて鉄筋コンクリート床を施工する場合の鉄筋配置作業を容易にするものとして、図１２、図１３に示すような取付け治具６０を使用するものがある（特許文献１）。
この場合に対象とするデッキプレート６１は、山面６２と谷面６３とが傾斜面６４で連続して台形波形をなす断面形状であるが、このデッキプレート６１の場合はさらに、傾斜面６４の下端近傍に設けた突条６６で形成される凹溝６７が谷面６３の下端に形成されている。
また、対象とする鉄筋６８は、ジグザク状に折り曲げられた一対のラチス材６９ａ、６９ｂと、一対のラチス材６９ａ、６９ｂのそれぞれの上端が接合されている上弦材７０と、一方のラチス材６９ａの下端が接合されている下弦材７１ａと、他方のラチス材６９ｂの下端が接合されている下弦材７１ｂとを備えたトラス筋６８である。
【０００３】
前記取付け治具６０は、図１３に示すように、断面略Ｕ字状の治具本体部８１と、この治具本体部８１の下端両側からそれぞれ反対方向に延出する治具脚部８２とを有し、治具本体部８１の両側の側面部８３に、上側の側面上突起８４と下側の側面下突起８６とが形成されている。
そして、トラス筋６８は、その両側の下弦材７１ａ、７１ｂが側面上突起８４と側面下突起８６との間で支持される。
【０００４】
ところで、上述のデッキプレートと異なる種類のデッキプレートとして、図１１に示すように、一枚の鋼板を折曲してなり、下フランジ１と、この下フランジ１から上方に延びる二枚合わせ部２ａを有しデッキプレート幅方向に間隔をあけて設けられた複数のウエブ２と、前記各ウエブ２の上部にそれぞれ形成された複数の上フランジ３とを備えたデッキプレート４’がある。このデッキプレート４’のウエブ２は、二枚合わせ２ａの上側に逆三角形状に広がった膨大部２ｂを有しており、上フランジ３はこの膨大部２ｂの上端面として形成されている。
この種のデッキプレート４’では、一般にウエブ２の二枚合わせ部２ａの２枚の板が離間してしまわないようにカシメや溶接等の何らかの接合手段で接合する。
特許文献２は前記接合手段として、二枚合わせ部に切れ込みを入れてカシメることによるカシメ部を形成する手段を示している。
【０００５】
前記デッキプレート４’は、一般的には図１１で示したものと上下逆にして上面がフラットなデッキプレートとして用いるので、一般にフラットデッキプレートと称され、鉄筋コンクリート床等を施工する際の型枠として用いられているが、このデッキプレート’を図１１のようにして用いると、デッキプレートとコンクリートとが一体となって荷重を負担する合成効果を持つ合成スラブを構築することができる。
また、このデッキプレート４’によるコンクリート床は、台形波形のデッキプレート（例えば図１２のデッキプレート６１）によるコンクリート床と比べて、同強度とする場合、谷部分の下方への突出がなくなるので、スラブ厚を薄くすることができる。
【先行技術文献】
【特許文献】
【０００６】
【特許文献１】特開２０１４−７０３３６
【特許文献２】特開平５−２４５５５４
【発明の概要】
【発明が解決しようとする課題】
【０００７】
図１１のデッキプレート４’を用いて鉄筋コンクリート床を施工する際に、例えば前述のトラス筋等の鉄筋を配置する場合、図１２における凹溝６７に相当する部分が存在しないので、前述の取付け治具６０を用いることはできない。
そこで、二枚合わせ部２ａをもつウエブ２を有するデッキプレート４’を用いて鉄筋コンクリート床を施工する場合に対応可能な鉄筋配置用部材が望まれる。
【０００８】
本発明は上記背景のもとになされたもので、二枚合わせ部を有するデッキプレートを用いて鉄筋コンクリート床を施工する場合に対応可能であるとともに、簡単な構造で安価に製作することができ、施工性に優れ、またトラス筋に用いて好適な鉄筋配置用部材、及び鉄筋コンクリート床施工の際に構成される鉄筋配置構造を提供することを目的とする
【課題を解決するための手段】
【０００９】
上記課題を解決する請求項１の発明は、下フランジと、この下フランジから上方に延びてカシメ部によりカシメられた二枚合わせ部を有しデッキプレート幅方向に間隔をあけて設けられた複数のウエブとを、鋼板を折り曲げして形成するデッキプレートを用いて、鉄筋コンクリート床を施工する際に鉄筋を配置するための鉄筋配置用部材であって、
前記鉄筋配置用部材は、デッキプレートの隣り合う前記ウエブ間の距離と平面視で略同じ長さを有する鉄筋配置用の本体部と、前記本体部の両端に設けた、前記カシメ部の切れ込みに刺し入れられる刺入部とを備えたことを特徴とする。
【００１０】
請求項２は、請求項１の鉄筋配置用部材において、前記本体部の一方端の刺入部と他方端の刺入部の高さ位置が異なることを特徴とする。
【００１１】
請求項３は、請求項１又は２の鉄筋配置用部材において、前記本体部の刺入部は、本体部から下方に延びていることを特徴とする。
【００１２】
請求項４の発明は、下フランジと、この下フランジから上方に延びてカシメ部によりカシメられた二枚合わせ部を有しデッキプレート幅方向に間隔をあけて設けられた複数のウエブとを、鋼板を折り曲げして形成するデッキプレートを用いて、鉄筋コンクリート床を施工する際に構成される鉄筋配置構造であって、
前記鉄筋配置構造は、前記デッキプレートと、このデッキフレートの上側に配置される鉄筋配置用部材と、この鉄筋配置用部材上に置かれる鉄筋とを備え、
前記ウエブは、その二枚合わせ部に設けた２か所の切れ込み間の部分が共にデッキプレート幅方向に突出することで二枚合わせ部との間に形成された隙間を持つカシメ部を備え、
隣り合う２つのウエブの一方のウエブのカシメ部の切れ込みに前記鉄筋配置用部材の一方端が刺し入れられ、他方のウエブのカシメ部の切れ込みに前記鉄筋配置用部材の他方端が刺し入れられていることを特徴とする。
【００１３】
請求項５は、請求項４の鉄筋配置構造において、前記デッキプレートのウエブの前記カシメ部の２か所の切れ込みは、第一の切れ込みと、この第一の切れ込みより下方位置に設けた第二の切れ込みであることを特徴とする。
【００１４】
請求項６は、請求項４又は５の鉄筋配置構造において、対象とする前記鉄筋が、デッキプレート長手方向から見て二等辺三角形配置をなす上側の１本の上弦材及び下側の２本の下弦材と、前記上側の上弦材と下側の２本の各下弦材とをそれぞれ連結するように溶接接合されたデッキプレート幅方向から見てジグザグ状をなす左右のラチス材とからなるトラス筋であることを特徴とする。
【発明の効果】
【００１５】
本発明によれば、特許文献１のデッキプレートのような谷面の下端の凹溝６７を持たないデッキプレートであっても、二枚合わせ部にカシメ部を備えるウエブを持つデッキプレートであれば、コンクリートの被り厚を確保して、トラス筋等の鉄筋を配置することができる。これにより、いわゆるフラットデッキプレートで施工する合成スラブの合成効果を高めることができる。
また、カシメ部に差し込まれた鉄筋配置用部材は、２枚合わせ部を２枚重ねの状態で拘束するので、ウエブの二枚合わせ部の開きを防止するカシメ部の効果が向上する。
また、両端をカシメ部に差し込まれた鉄筋配置用部材は水平方向の移動を確実に拘束されるので、この鉄筋配置用部材に鉄筋を拘束状態で配置すれば、コンクリート打設時に鉄筋がずれることを防止できる。
また、鉄筋配置用部材は左右のウエブ間に連結されてウエブを拘束するので、ウエブの倒れ込みを抑えることができる。
また、鉄筋配置用部材の両端の刺入部をカシメ部に差し込むという簡単な作業で、デッキプレートに取り付けることができるので、施工能率が良好である。また、デッキプレートに取り付けるための溶接やビス止めなどの施工が不要となり、施工コストが安く済む。
【００１６】
請求項２の鉄筋配置用部材のように、本体部の一方端の刺入部と他方端の刺入部の高さ位置を異ならせた場合は、一カ所のカシメ部に対して、例えば左側の鉄筋配置用部材の右端の刺入部を上側の切れ込みに差し込み、右側の鉄筋配置用部材の左端の刺入部を下側の切れ込みに差し込むことで、上から見て鉄筋配置用部材をデッキ幅方向に直線状に連続して取り付けることができる。
【図面の簡単な説明】
【００１７】
【図１】本発明の一実施例の鉄筋配置構造を示すもので、（イ）は正面図（但し、図１（ロ）のＡ−Ａ断面で示した図）、（ロ）は（イ）のＢ-Ｂ断面で示した側面図である。
【図２】（イ）は図１（イ）におけるデッキプレートのみを示した図、（ロ）は図１（ロ）におけるデッキプレートのみを示した図である。
【図３】（イ）は図２（イ）における一つのウエブ部分のみを拡大して示した図、（ロ）は（イ）の左側面図、（ハ）は（ロ）のＣ−Ｃ断面図である
【図４】（イ）は図１（イ）における鉄筋（トラス筋）のみを示した図、（ロ）は図１（イ）の左側面図（＝図１（ロ）の鉄筋（トラス筋）のみを示した図）である。
【図５】（イ）は図１（イ）における鉄筋配置用部材のみを示した図、（ロ）は（イ）の左側面図である。
【図６】図１（イ）の態様でデッキプレートの幅全体の各ウエブ間にトラス筋（鉄筋）が配置された状態で示した図である。
【図７】図６のＤ部を左側から見た斜視図である。
【図８】（イ）は図７の斜視図におけるカシメ部の位置にて切断して示した斜視図、（ロ）は（イ）の切断端面を拡大して示した図（図６のＤ部の詳細図）である。
【図９】本発明の鉄筋配置用部材の種々の変形例を示すもので、（イ）、（ロ）、（ハ）、（ニ）はそれぞれ異なる変形例である。
【図１０】本発明の鉄筋配置用部材のさらに他の変形例を示すもので、（ホ）、（ヘ）、（ト）、（チ）はそれぞれ異なる変形例である。
【図１１】本発明の実施例で対象とするデッキプレートと断面形状が共通するデッキプレートの断面図である。
【図１２】従来の鉄筋配置構造を説明する断面図である。併せて要部を拡大した図を下に添えた。
【図１３】図１２における鉄筋配置部分の斜視図である。
【発明を実施するための形態】
【００１８】
以下、本発明の鉄筋配置用部材、及び鉄筋配置構造を実施するための形態について、図面を参照して説明する。
【実施例１】
【００１９】
図１は本発明の一実施例の鉄筋配置構造４０を説明するもので、図１（イ）は正面図（但し、図１（ロ）のＡ−Ａ断面で示した図）、（ロ）は（イ）のＢ-Ｂ断面で示した側面図である。
この鉄筋配置構造４０はデッキプレート４と、実施例ではトラス筋１０である鉄筋と、このトラス筋１０をデッキプレート４に配置するための鉄筋配置用部材２０とで構成される。符号６はデッキプレート４を載せる例えばＨ形鋼の梁、６ａはその上フランジを示す。
このデッキプレート４は、その断面形状は図９に示したものと同様であり、一枚の鋼板を折曲してなり、図２にも示すように、下フランジ１と、この下フランジ１から上方に延びる二枚合わせ部２ａとその上部の逆三角形状の膨大部２ｂとを有しデッキプレート幅方向に間隔Ｌをあけて設られた複数のウエブ２と、前記各ウエブ２の上部（膨大部２ｂの上端面）にそれぞれ形成さけれた複数の上フランジ３とを備えている。
このデッキプレート４は、前記ウエブ２の二枚合わせ部２ａに、その二枚合わせ部２ａの２枚の板が離間しないように接合させるためのカシメ部５がデッキプレート長手方向に適宜間隔をあけて形成されている。
【００２０】
前記カシメ部５は二枚合わせ部２ａに切れ込みを入れて形成したものである。図示例のカシメ部５は、図３に詳細を示すように、二枚合わせ部２ａに互いに平行な上下２本の切れ込み５ａ、５ｂを入れると同時に切れ込み５ａ、５ｂ間の部分を押し込み、かつ切れ込み５ａ、５ｂ間の部分をすえ込み加工（材料に圧縮力を加えて展延する塑性変形加工）し展延して成形したものであり、図３（イ）、（ハ）に示すように、上から見て隙間５ｃが形成されている。このカシメ部５は例えば、二枚合わせ部２ａを特許文献２で採用している上下一対の加工ロール間に通す手段等で形成することができる。
【００２１】
前記トラス筋１０は、図４に示すように、デッキプレート長手方向から見て二等辺三角形配置をなす上側の１本の上弦材１１及び下側の２本の下弦材１２と、前記上側の上弦材１１と下側の２本の各下弦材１２とをそれぞれ連結するように溶接接合されたデッキプレート幅方向から見てジグザグ状（ないし波形形状）をなす左右のラチス材１３とからなる。
前記ジグザグ状（ないし波形形状）は、短いＶ字形の部材が並ぶ場合、あるいは短い逆Ｖ字形の部材が並ぶ場合、あるいは連続してジグザグ状をなす長い１本の部材である場合のいずれでもよいが、実施例では短い逆Ｖ字形のラチス材１３を並べている。
この場合、ラチス材１３の逆Ｖ字形の頂部は上弦材１１に溶接固定し二つの下端部は下弦材１２に溶接固定するが、実施例では、隣接する逆Ｖ字形のラチス材１３の下端１３ａ間に前記鉄筋配置用部材２０の幅寸法と同程度の間隔Ｓを設けて溶接固定している
【００２２】
前記鉄筋配置用部材２０は、図５に示すように、単なる１枚の短冊状鋼板を折り曲げて構成したものであり、デッキプレート４の隣り合う前記ウエブ２間の距離と略同じ長さを有する鉄筋配置用の本体部２１と、前記本体部２１の両端に設けた、前記ウエブ２に設けられたカシメ部５の切れ込み５ａに刺し入れられる刺入部２２ａ、切れ込み５ｂに刺し入れられる刺入部２２ｂとを備えている。前記刺入部２２ａ、２２ｂは、本体部２１の両側部分をなす下向き傾斜部２１ａ、２１ｂの端部に繋がっている。一方の傾斜部２１ａの下端位置は高く他方の傾斜部２１ｂの下端位置は低くしているので、一方の刺入部２２ａの高さ位置は他方の刺入部２２ｂより高い位置に位置している。
【００２３】
建築物等の梁間に渡したデッキプレート４上に前記鉄筋配置用部材２０を用いて前記トラス筋１０を配置する場合、デッキプレート４の長手方向の複数個所のカシメ部５のそれぞれの位置にて、図１（イ）に示すように鉄筋配置用部材２０をデッキプレート４の隣接するウエブ２間に架け渡す。
この場合、図１において、高い位置にある右方の刺入部２２ａをウエブ２の二枚合わせ部２ａのカシメ部５の上側の切れ込み５ａに差し込み、低い位置にある左方の刺入部２２ｂをカシメ部５の下側の切れ込み５ｂに差し込む。
隣り合う鉄筋配置用部材２０の一方の鉄筋配置用部材２０の右側の刺入部２２ａと他方の鉄筋配置用部材２０の左側の刺入部２２ｂが同一箇所のカシメ部５に差し込まれた状態を図７、図８に斜視図で示す。
これにより鉄筋配置用部材２０は、両側のウエブ２のカシメ部５で拘束されて、デッキプレート４に対してずれることはない。
次いで、トラス筋１０を前記鉄筋配置用部材２０の本体部２１に載せる。この場合、図１（ロ）に示すように、隣接する２つの逆Ｖ字形のラチス材１３のそれぞれ向き合う下端１３ａ間に鉄筋配置用部材２０が嵌る態様で載せる。
これによりトラス筋１０は、鉄筋配置用部材２０でデッキプレート長手方向の移動を拘束されて、みだりに動かない。
図６は１つのデッキプレート４の幅方向全体の３カ所に鉄筋配置用部材２０を取り付けトラス筋１０を配置した状態を示す。なお、図６の右端には隣接する図示略のデッキプレートが接続される。この場合、右端に隣接する図示略のデッキプレートの左端部は、図６のデッキプレート４の左端のウエブ２と同様な部分なので、鉄筋配置用部材２０はデッキプレート中間部の鉄筋配置用部材２０と同様に取り付けられる。
【００２４】
上記の通りであり、本発明の鉄筋配置用部材２０により、図１２の凹溝６７を持たないデッキプレートであっても、二枚合わせ部２ａにカシメ部を備えるウエブ２を持つデッキプレートであれば、コンクリートの被り厚を確保してトラス筋１０等の鉄筋を配置することができる。これにより、デッキプレートとコンクリートとの合成効果が得られる鉄筋コンクリート床を築造できる。
また、カシメ部５に差し込まれた鉄筋配置用部材２０は、２枚合わせ部２ａを２枚重ねの状態で拘束するので、ウエブ２の二枚合わせ部２ａの開きを防止するカシメ部５の開き防止効果が向上する。
また、両端をカシメ部５に差し込まれた鉄筋配置用部材２０は水平方向の移動を確実に拘束されるので、コンクリート打設時のトラス筋のずれを防止することができる。
また、実施例のように鉄筋配置用部材２０の左右の刺入部２２ａ、２２ｂの高さ位置を変えて、一カ所のカシメ部５に対して、図８のように左側の鉄筋配置用部材２０の右端の刺入部２２ａを上側の切れ込み５ａに差し込み、右側の鉄筋配置用部材２０の左端の刺入部２２ｂを下側の切れ込み５ｂに差し込むことで、鉄筋配置用部材２０をデッキ幅方向に上から見て直線状に連続して取り付けることができる。
また、鉄筋配置用部材２０は左右のウエブ２間に連結されてウエブを拘束するので、ウエブの倒れ込みを抑えることができる。
鉄筋配置用部材２０は、その両端の刺入部２２ａ、２２ｂをカシメ部５に差し込むという簡単な作業で、デッキプレートに取り付けることができるので、施工能率が良好である。また、デッキプレートに取り付けるための溶接やビス止めなどの施工が不要となり、施工コストが安く済む。
【実施例２】
【００２５】
図９、図１０に鉄筋配置用部材の種々の変形例を示す。
上述の実施例の鉄筋配置用部材２０は本体部２１も含めて全体が単なる短冊状平板を折り曲げたものであるが、図９（イ）の鉄筋配置用部材２０Ａは、Ｅ−Ｅ断面を同図の右に示すように、本体部２１Ａの水平部分をコ字形断面としている。
これにより本体部２１Ａの剛性を高くすることができる。
なお、図９、図１０の各変形例ではいずれも本体部の水平部分、又は本体部の特に中央部分をコ字形断面としている。
【００２６】
図９（ロ）の鉄筋配置用部材２０Ｂは、本体部２１Ｂの板厚を厚くするか高さを高くする等して断面剛性を高くすることで、本体部２１Ｂのほぼ全体を水平にしている。この場合、右側の刺入部２２ａ’は本体部２１Ｂの右側部分に形成した逆Ｌ形部２１ｃに繋がっている。
この鉄筋配置用部材２０Ｂは、トラス筋１０の配置高さを低くすることができる。
【００２７】
図９（ハ）の鉄筋配置用部材２０Ｃは、その本体部２１Ｃの中央部に、左右の立上り部３０ａとそれらの上端を繋ぐ水平部３０ｂとで下向きコ字形をなす凸形の本体中央部３０を有している。
本体中央部３０の水平部３０ｂがコ字形断面をなしている。
この鉄筋配置用部材２０Ｃは、トラス筋１０のデッキプレート幅方向の移動を拘束できる。また、本体部の剛性が高くなる。
【００２８】
図９（ニ）の鉄筋配置用部材２０Ｄは、図９（ハ）の鉄筋配置用部材２０Ｃと概ね同様な形状であるが、凸形の本体中央部３０’の立上り部３０ａの下部が下弦材１２を抱き込むような窪み３０ｃとなっている。２つの下弦材１２は立上り部３０ａの外面に沿って降りてきた時に前記窪み３０ｃに弾性的に押し込まれる。
鉄筋配置用部材２０Ｄは、さらに、前記窪み３０ｃによりトラス筋１０の浮き上がりを抑制できる。また、本体部の剛性が高くなる。
【００２９】
図１０（ホ）の鉄筋配置用部材２０Ｅは、その本体部２１Ｅの中央部に、左右の立下がり３１ａとそれらの下端を繋ぐ水平部３１ｂとで上向きコ字形をなす凹形の本体中央部３１を有している。
本体中央部３１の水平部３１ｂがコ字形断面をなしている。
この鉄筋配置用部材２０Ｅは、トラス筋１０のデッキプレート幅方向の移動を拘束できる。また、トラス筋１０の配置高さを低くすることができる。また、本体部の剛性が高くなる。
【００３０】
図１０（ヘ）の鉄筋配置用部材２０Ｆは、図１０（ホ）の鉄筋配置用部材２０Ｅと概ね同様な形状であるが、凹形の本体中央部３１’の立下り部３１ａの下部が下弦材１２を抱き込むような窪み３１ｃとなっている。２つの下弦材１２は立下り部３１ａの内面に沿って降りてきた時に前記窪み３１ｃに弾性的に押し込まれる。
鉄筋配置用部材２０Ｄは、さらに、前記窪み３１ｃによりトラス筋１０の浮き上がりを抑制できる。また、本体部の剛性が高くなる。
【００３１】
図１０（ト）の鉄筋配置用部材２０Ｇは、本体部２１Ｇにおける、トラス筋１０の２つの下弦材１２の位置にそれぞれＶ溝３２を設けている。
トラス筋１０の２つの下弦材１２は前記Ｖ溝３２に嵌る態様で置かれている。
前記２つのＶ溝３２の位置より中央側部分がコ字形断面をなしている。
この鉄筋配置用部材２０Ｇは、前記Ｖ溝３２によりトラス筋１０のデッキプレート幅方向の移動を拘束できる。
【００３２】
図１０（チ）の鉄筋配置用部材２０Ｈは、本体部２１Ｈにおける、トラス筋１０の２つの下弦材１２の位置にそれぞれ、本体部２１Ｈの板材に切り込みを入れかつ起こして形成した一対のカギ片３３を持つ。各下弦材１２はそれぞれ、一対のカギ片３３間に押し込まれて、一対のカギ片３３で挟まれた態様で保持される。
前記本体部２１Ｈの水平部分がコ字形断面をなしている。
この鉄筋配置用部材２０Ｈは、前記カギ片３３によりトラス筋１０のデッキプレート幅方向の移動を拘束できる。
【実施例３】
【００３３】
本発明においてウエブ２に形成するカシメ部は、実施例のようなカシメ部５に限定されない。鉄筋配置用部材の両端の刺入部を差し入れ可能であり、かつ、デッキプレート幅方向に抜けないように係合し得るカシメ部であればよい。
また、対象とするデッキプレートは、実施例の断面形状のものに限らず、二枚合わせ部を有し上部に上フランジが形成されるウエブをデッキプレート幅方向に間隔をあけて複数備えたものであればよい。
また、実施例の鉄筋であるトラス筋は、上弦材と下弦座とをジグザグ状に連結するラチス材が、逆Ｖ字形の複数のラチス材からなるが、全体がジグザグ状ないし波状に連続する１本のラチス材であってもよい。
また、鉄筋配置用部材に載せる鉄筋は実施例ではトラス筋であるが、これに限らず、例えば単なる棒状の鉄筋を配置する場合にも適用できる。
【符号の説明】
【００３４】
１  下フランジ
２  ウエブ
２ａ  二枚合わせ部
２ｂ  膨大部
３  上フランジ
４  デッキプレート
５  カシメ部
５ａ  上側の切れ込み
５ｂ  下側の切れ込み
５ｃ  隙間
１０  トラス筋（鉄筋）
１１  上弦材
１２  下弦材
１３  ラチス材
２０、２０Ａ〜２０Ｈ  鉄筋配置用部材
２１、２１Ａ〜２１Ｈ  本体部
２１ａ、２１ｂ  傾斜部
２１ｃ  逆Ｌ形部
２２ａ、２２ｂ  ２２ａ’  刺入部
３０、３０’  （凸形の）本体中央部
３０ａ  立上り部
３０ｂ  水平部
３０ｃ  窪み
３１、３１’  （凹形の）本体中央部
３１ａ  立下り部
３１ｂ  水平部
３１ｃ  窪み
３２  Ｖ溝
３３  カギ片
４０  鉄筋配置構造
【図１】
2016173004.tif 000003
【図２】
2016173004.tif 000004
【図３】
2016173004.tif 000005
【図４】
2016173004.tif 000006
【図５】
2016173004.tif 000007
【図６】
2016173004.tif 000008
【図７】
2016173004.tif 000009
【図８】
2016173004.tif 000010
【図９】
2016173004.tif 000011
【図１０】
2016173004.tif 000012
【図１１】
2016173004.tif 000013
【図１２】
2016173004.tif 000014
【図１３】
2016173004.tif 000015